(57)【要約】【課題】単に糸にビーズを通す機械的な玩具に留まらず、視覚的にミシンを連想させミシンで縫い物をしているような感覚でビーズアクセサリーを作ることができ、ホビー玩具としても楽しむことができるビーズ連綴玩具を提供すること。【解決手段】円筒状の玩具本体１を支持部材３で台座２の上方に横置きに配置し、玩具本体１の一端側上部には、玩具本体１内にビーズを供給する供給装置２０が配置され、玩具本体１の内部には円柱状の回転体８を横置きに配置し、該回転体８の周面には軸方向に多数の嵌合溝３１が形成されるとともに、回転体８の外側に針金３２を螺旋状に巻装し、上記針金３２の始端３２ａは上記回転体８の一端側で上記玩具本体１の底面に位置し、終端は回転体８の他端側から上記玩具本体１の外部に突出し、該終端部には糸通しの孔３４を形成した。【選択図】図１
0003101747.tif 000002
【実用新案登録請求の範囲】
【請求項１】
以下の要件を備えることを特徴とするビーズ連綴玩具。
（イ）上記ビーズ連綴玩具は、筒状の玩具本体が支持部材に支持されて台座の上方に横置きに配置され、全体としてミシンの形状をなしていること
（ロ）上記玩具本体の上部には、玩具本体内にビーズを供給する供給装置が配置されていること
（ハ）上記玩具本体の内部には円柱状の回転体が横置きに配置され、該回転体の周面には軸方向に多数の嵌合溝が形成されるとともに、回転体の外側には針金が螺旋状に巻装されていること
（二）上記針金の始端は上記回転体の一端側で上記玩具本体の底面に位置し、終端は回転体の他端側から上記玩具本体の外部に突出し、該終端部には糸通しの孔が形成されていること
【請求項２】
前記供給装置は糸巻きを模して形成され、前記玩具本体に着脱可能であるとともに、前記ビーズの供給を任意に制御することができる、請求項1記載のビーズ連綴玩具。
【請求項３】
前記玩具本体は２部材で構成され、一方の部材は他方の部材にスライド可能に取着されるとともに、スライド時には前記支持部材と一方の部材との間に隙間が形成され、玩具本体内のビーズが排出される、請求項１又は２記載のビーズ連綴玩具。
【考案の詳細な説明】
【技術分野】
【０００１】
本考案は、ビーズ連綴玩具、詳しくはハンドルを回転操作するだけでビーズを連続的に糸に通すことができるビーズ連綴玩具に関するものである。
【背景技術】
【０００２】
従来、ビーズを糸に通して腕輪や首輪などのアクセサリーを作る玩具として様々な玩具が提案されているが、本出願人からもビーズ糸通し機なる玩具が提案されている（例えば、特許文献１）。
【０００３】
この玩具はハンドルを回すことにより、容器の底にあるビーズが針金の先端に順次挿通し、回転体の嵌合溝に嵌合されて螺旋状に配設された針金を移動し、針金の後端に取り付けられた糸に通されるようになっているものである。
【特許文献１】特開平７−１５０４５３号公報
【考案の開示】
【考案が解決しようとする課題】
【０００４】
本考案が解決しようとする問題点は、上述のビーズ糸通し機はビーズを自動的に糸に通し、アクサリーを作ることはできるが、あくまで糸にビーズを通す機械的な要素しか備えていないものであり、アクセサリーを作る過程を楽しむことができない点であった。
【０００５】
本考案は、上記問題点を解決し、単に糸にビーズを通す機械的な玩具に留まらず、視覚的にミシンを連想させてミシンで縫い物をしているような感覚でビーズアクセサリーを作ることができ、ホビー玩具としても楽しむことができるビーズ連綴玩具を提供することを課題とする。
【課題を解決するための手段】
【０００６】
前記課題を解決するために本考案に係るビーズ連綴玩具は、以下の要件を備えることを特徴とする。
（イ）上記ビーズ連綴玩具は、筒状の玩具本体が支持部材に支持されて台座の上方に横置きに配置され、全体としてミシンの形状をなしていること
（ロ）上記玩具本体の上部には、玩具本体内にビーズを供給する供給装置が配置されていること
（ハ）上記玩具本体の内部には円柱状の回転体が横置きに配置され、該回転体の周面には軸方向に多数の嵌合溝が形成されるとともに、回転体の外側には針金が螺旋状に巻装されていること
（二）上記針金の始端は上記回転体の一端側で上記玩具本体の底面に位置し、終端は回転体の他端側から上記玩具本体の外部に突出し、該終端部には糸通しの孔が形成されていること
【０００７】
なお、前記供給装置は糸巻きを模して形成され、前記玩具本体に着脱可能であるとともに、前記ビーズの供給を任意に制御することができるようにすることが好ましい。
【０００８】
また、前記玩具本体は２部材で構成され、一方の部材は他方の部材にスライド可能に取着されるとともに、スライド時には前記支持部材と一方の部材との間に隙間が形成され、玩具本体内のビーズが排出されるようにしてもよい。
【考案の効果】
【０００９】
請求項１の考案によれば、全体にミシンを模して形成された玩具の回転体を回転させることにより、玩具本体内に供給されたビーズを針金の始端から終端まで移動させ、終端に形成された糸通しの孔に通された糸に移すことができるので、ミシンを操作しながらビーズアクセサリーを作るような感覚が得られ、単にビーズを糸に通す糸通しの玩具では味わうことのできないホビー玩具として趣向を凝らした玩具を実現することができる。
【００１０】
請求項２の考案によれば、好みの色のビーズを自由に選択してビーズアクセサリーを作成することができる。
【００１１】
請求項３の考案によれば、２部材で構成された玩具本体の、一方の部材をスライド移動させることにより、容易に内部のビーズを排出することができるので、ビーズの色の混在を避けることができる。
【考案を実施するための最良の形態】
【００１２】
円筒状の玩具本体を支持部材で台座の上方に横置きに配置し、玩具本体の一端側上部には、玩具本体内にビーズを供給する供給装置が配置し、玩具本体の内部には円柱状の回転体を横置きに配置し、該回転体の周面には軸方向に多数の嵌合溝が形成されるとともに、回転体の外側には所定間隔をおいて針金が螺旋状に巻装し、上記針金の始端は上記回転体の一端側で上記玩具本体の底面に位置し、終端は回転体の他端側から上記玩具本体の外部に突出させるとともに、該終端部には糸通しの孔を形成し、供給装置から供給されたビーズは回転体の回転に伴って、針金の始端から終端まで送られ、終端に形成された糸通し孔に通された糸に順次送り込めるようにした。
【実施例１】
【００１３】
図１は本考案に係るビーズ連綴玩具を示し、このビーズ連綴玩具は透明で中空の玩具本体１を台座２の上方に支持部材３である２つの支柱部材４、５で横置きに支持され、全体としてミシンの形状をなすように形成されている。
【００１４】
玩具本体１は略角筒状の第一のケース体６と、お椀状の第２のケース体７とから構成され、内部には円柱状の回転体８が横置きに配置され、この回転体８は支柱部材４の側面に設けられたハンドル９を回すことによって回転させることができるようになっている。
【００１５】
なお、符号１０は玩具本体1内に収容されたビーズａを排出する際に、台座２に設けた引出し１１に案内する案内通路を示す。
【００１６】
第２のケース体７は第１のケース体６にスライド可能に取り付けられ、図示しないスプリングに付勢されて、図２（ａ）に示すように、常に支柱部材４の壁面に圧接するようになっており、図２（ｂ）に示すように、押しボタン１５をスプリングに抗して押し込むと、第２のケース体７は第１のケース体６側にスライド移動し、支柱部材４の壁面との間に隙間が発生し、内部のビーズａを案内通路１１を通して排出することができるようになっている。
【００１７】
第１のケース体６の上部にはビーズａの供給装置２０が配置されている。この供給装置２０は、図３（ａ）（ｂ）に示すように、糸巻きを模して透明な樹脂で有底筒状に形成された容器で構成され、この容器２０の底面にはビーズａを供給する供給孔２１が開口し、この供給孔２１の周縁は下方に膨出し、第１のケース体６に形成された嵌合孔１２に嵌合させる嵌合筒２２が形成され、上部開口部２３は着脱可能な蓋体２８で閉じられている。上記供給孔２１は容器２０の底部を一端から他端に貫通してスライド可能に配置されたシャッター２４で塞がれている（図４（ａ）参照）。このシャッター２４は長板状で両端にはストッパー２５が形成され略中央には排出孔２６が形成され、スプリング２７で常に排出口２６と供給孔２１とが連通しないように付勢されているもので、図４（ｂ）に示すように、スプリング２７に抗してシャッター２４を押し込めば排出口２６が供給孔２１の位置まで移動するので、収容したビーズを排出口２６、供給孔２１を通して第１のケース体６内に供給することができるようになっている。このビーズの供給量は排出口２６と供給孔２１との連通する部分の大きさをシャッター２４の押し量で調整することにより、少量のビーズを供給するのか大量のビーズを供給するのかを自由に調整することができる。
【００１８】
上記玩具本体１の内部には円柱状の回転体８が横置きに配置され、この回転体８の一端は第２の支柱部材５に、他端には円板状の案内板３０が固定されるとともに第１の支柱部材４にそれぞれ図示しない支持機構によって回転可能に支持され、第１の支柱部材４の外側に配置されたハンドル９を回転させることによって案内板３０とともに回転体８を回転させることができるようになっている。
【００１９】
そして、回転体８の周面には軸方向にＵ字状の嵌合溝３１が多数形成され、回転体８の外側には所定間隔をおいて針金３２が螺旋状に巻きつけられている。この針金３２の始端３２ａは上記案内板３０の下端部に位置し、終端３２ｂは回転体８の他端側から第２の回転体３３を経由して第１のケース体６の外側に突出し、その終端３２ｂには糸を通す通し孔３４が形成されている。この針金３２は回転体８の回転に対し固定された状態にするため、図５に示すように、第１の回転体８から歯車３７、３８を介して第１の回転体８と逆方向に回転する第２の回転体３３に逆巻に巻き回され、第１の回転体８と第２の回転体３３とで保持され、針金３２自体を固定する固定部材を設ける必要がないので始端３２ａから終端３２ｂまでビーズの通過に障害となるものがないようになっている。
【００２０】
なお、上記案内板３０には中心から外周に向かって放射状に数本の係合溝３５が形成されている。この係合溝３５はビーズａの直径の半分程度の深さの略Ｖ字状の溝で、図６（ａ）に示すように、案内板３０が回転し、図６（ｂ）に示すように、ビーズａが案内板３０の係合溝３５に入るとビーズａの孔が針金３２の始端３２ａに対向する位置になり、その状態で案内板３０とともに針金３２に向かって移動すると、図６（ｃ）に示すように、針金３２の始端３２ａはビーズａの孔に挿通し、図７（ａ）に示すように、ビーズａは回転体８の嵌合溝３１に嵌合し、回転体８の回転に伴って針金３２を始端３２ａから終端３２ｂまで移動させられ、終端３２まで移動したビーズａは糸通しに孔３４通した糸に順次挿通させることができる。
【００２１】
上述の、ビーズ連綴玩具によれば、先ず糸巻きを模した複数の容器２０に様々な色のビーズａを別々に収容する。次に、使いたい色のビーズａの入った容器２０を玩具本体１にセットし、シャッター２４を押し操作して、ビーズａを玩具本体１内に供給する。
【００２２】
ビーズａが供給されたならばハンドル９を回す。ハンドル９の回転に連動して回転体８が回転するが、この回転体８と一体に設けられた案内板３０も一緒に回転する。この案内板３０には係合溝３５が形成されているので、ビーズａが係合溝３５に係合し針金３２の始端３２ａにビーズａの孔が対応したときに針金３２の始端３２ａがビーズａの孔に挿通する。針金３２に挿通したビーズａは次に回転体８の嵌合溝３１に嵌合するので、ビーズａは回転体８の回転に伴って針金３２を始端３２から終端側に向かって順次移動する（図7（ｂ）参照）。
【００２３】
この針金３２は、第１の回転体８と第２の回転体３３とで支持され、ビーズａの移動を邪魔するものはないのでスムーズに終端側３２ｂまで移動させられる。
【００２４】
針金３２の終端３２ａに形成された糸通し孔３４には糸３６が通されているので、終端３２ｂまできたビーズはユーザーが指で糸に移動させれば、容易にビーズアクセサリーを作ることができ、恰もミシンを動かしているような感覚でビーズアクセサリーを作成することができる。
【００２５】
ビーズの色を変えたい場合は、ボタン１５を押して第２のケース体７を第１のケース体６側に移動させると、第２のケース体７と支柱部材４の壁面との間に隙間ができるので、ビーズａはこの隙間から落下し、台座２に設けられた引出し１１内に玩具本体１内のビーズは全て排出することができる。
【００２６】
玩具本体１内のビーズａが排出されたことを確認したら、ミシンの糸巻きの交換と同じように、今まで使用していた容器２０と使いたい色のビーズの入った容器２０とを交換し、シャッター２４を押し操作して新たな色のビーズを玩具本体１内に供給すればよい。
【００２７】
上述のように、糸巻きを模した容器２０を玩具本体１にセットし、ミシンを操作するようにハンドル９を回すと、玩具本体１内に供給されたビーズａは針金３２に挿通し、針金３２の始端３２ａから終端３２ｂに順次移動させられ、終端３２ｂにつながれた糸３６に通すことができるので、ミシンで遊ぶような感覚でビーズアクセサリーを作ることができ、単にビーズアクセサリーを作る玩具との差別化を図ることができるとともに、ホビー玩具としての楽しさを味わわせることができる。
【図面の簡単な説明】
【００２８】
【図１】本考案に係るビーズ連綴玩具の斜視図
【図２】（ａ）（ｂ）は玩具本体の内部構造を説明する要部断面図
【図３】（ａ）（ｂ）はビーズの供給装置を説明する平面側斜視図及び底面側斜視図
【図４】（ａ）（ｂ）はビーズの供給装置を説明する縦断面図
【図５】針金の保持状態を説明する斜視図
【図６】（ａ）〜（ｃ）はビーズが針金に挿通する過程の説明図
【図７】（ａ）（ｂ）は回転体の回転によりビーズが針金状を移動する状態の説明図
【符号の説明】
【００２９】
１    玩具本体
２    台座
３    支持部材
８    回転体
２０    供給装置
３１    嵌合溝
３２    針金
【図１】
0003101747.tif 000003
【図２】
0003101747.tif 000004
【図３】
0003101747.tif 000005
【図４】
0003101747.tif 000006
【図５】
0003101747.tif 000007
【図６】
0003101747.tif 000008
【図７】
0003101747.tif 000009